(57)【要約】【課題】  血糖値を測定することのできる、運搬性がよくて、衛生的で、測定時に心理的負担が少なく、測定動作が容易な小型の生体センサ内蔵携帯電話機等を提供する。【解決手段】  血糖値測定部３０に接触されたユーザの唇に中赤外光をあてて受光し、受光した光量により血糖値を測定する血糖値測定部３０と、測定結果をユーザに通知する測定結果通知部と、血糖値測定部３０の近傍に配置されたマイク２３と、血糖値測定部３０等を殺菌する殺菌部４０と、通話時と測定時における生体センサ内蔵携帯電話機の開き角度を別々に固定する開き角度固定部と、あらかじめ設定された測定時刻がきた時に、音、音声、および振動の少なくともいずれか一つによりユーザに知らせる測定時刻通知部と、血糖値測定部３０で測定したデータに基づいて、音声ガイドメッセージ信号を合成する音声合成部とを備える。【選択図】        図５
2005073763.tif 000002
【特許請求の範囲】
【請求項１】
携帯電話機であって、
接触されたユーザの唇に中赤外光をあてて受光した光量により前記唇中の血糖値を測定する血糖値測定手段と、
前記血糖値測定手段が測定した測定結果を前記ユーザに通知する測定結果通知手段と、
前記血糖値測定手段の近傍に配置され、前記ユーザの声を電気信号に変換するマイクと
を備えることを特徴とする生体センサ内蔵携帯電話機。
【請求項２】
折りたたむ構造を有し、紫外光を発光させることにより前記血糖値測定手段を殺菌する殺菌手段を備える
ことを特徴とする請求項１記載の生体センサ内蔵携帯電話機。
【請求項３】
前記殺菌手段の発する光を散乱させる散乱手段を備える
ことを特徴とする請求項２記載の生体センサ内蔵携帯電話機。
【請求項４】
前記殺菌手段は紫外発光ダイオードである
ことを特徴とする請求項２または３記載の生体センサ内蔵携帯電話機。
【請求項５】
折りたたんだ際に、前記血糖値測定手段と前記殺菌手段が対面の位置にくるよう配置されている
ことを特徴とする請求項２〜４のいずれか１項に記載の生体センサ内蔵携帯電話機。
【請求項６】
前記殺菌手段は、折りたたんでいないときは動作しない
ことを特徴とする請求項２〜５のいずれか１項に記載の生体センサ内蔵携帯電話機。
【請求項７】
前記殺菌手段は、折りたたんでから一定時間が経過した後は動作しない
ことを特徴とする請求項２〜６のいずれか１項に記載の生体センサ内蔵携帯電話機。
【請求項８】
前記血糖値測定手段が測定した前記測定結果に基づいて、音声ガイドメッセージ信号を合成する音声合成手段と、
前記音声合成手段で合成された前記音声ガイドメッセージ信号を音に変換してユーザに伝える変換手段とを備える
ことを特徴とする請求項１〜７のいずれか１項に記載の生体センサ内蔵携帯電話機。
【請求項９】
前記音声ガイドメッセージ信号は、測定時刻、測定手順、測定状況、および測定残り時間を示す情報の少なくともいずれか一つを含む
ことを特徴とする請求項８記載の生体センサ内蔵携帯電話機。
【請求項１０】
あらかじめ設定された測定時刻がきた時に、音、音声、および振動の少なくともいずれか一つによりユーザに知らせる測定時刻通知手段を備える
ことを特徴とする請求項１〜９のいずれか１項に記載の生体センサ内蔵携帯電話機。
【請求項１１】
折りたたむ構造を有し、通話時と測定時における開き角度を別々に固定する開き角度固定手段を備える
ことを特徴とする請求項１〜１０のいずれか１項に記載の生体センサ内蔵携帯電話機。
【請求項１２】
操作面が酸化チタンでコーティングされている
ことを特徴とする請求項１〜１１のいずれか１項に記載の生体センサ内蔵携帯電話機。
【発明の詳細な説明】
【技術分野】
【０００１】
本発明は、血糖値を測定するための小型生体センサを内蔵する生体センサ内蔵携帯電話機に関する。
【背景技術】
【０００２】
ユーザの血糖値を測定する生体測定装置として様々なものが提案されている（例えば、特許文献１〜２参照）。
図９は、上記特許文献１に開示された従来技術に係る生体測定装置の基本構造を示す図である。検出器１２０は、ユーザが血糖値を検出するため指を挿入する指挿入部１２１と、指挿入部１２１への指の挿入を感知すると電源スイッチ１２２がオンして電池１２３から電力を供給されることで、生体内によく進入する近赤外線を発生する光源１２４と、光源１２４から発生した近赤外線を、例えばグルコースその他の対象物質ごとに特定の波長に絞る干渉フィルタ１２５と、干渉フィルタ１２５で特定の波長に絞られた近赤外線を指の測定部位に照射する照射部１２６と、測定部位から反射した特定の波長の近赤外線反射光から測定部位で吸収された近赤外線の吸収スペクトルを検出する吸収強度検出器１２７と、吸収強度検出器１２７が検出した近赤外線の吸収スペクトルを電気信号によるユーザの検出データに変換する電子回路１２８と、電子回路１２８で変換された検出データを一時保管する記憶部１２９とを備える。外部機器１３０は、例えばインターネット端末機器であり、インターフェイスを介して検出器１２０から検出データを受け付け、インターネットを介して、各種のデータ解析を行うセンタへ送信する。
【０００３】
また、上記特許文献２に開示された生活支援装置では、ユーザの身体に装着してユーザの生体情報（血糖値、脈拍、体温、皮膚電気抵抗値等）を取得する装着型生体情報センサ部と、行動情報（姿勢、動作）を取得する行動情報センサ部と、行動情報センサ部が取得した行動情報と生体情報センサ部が取得した生体情報とをもとにユーザの状況を認識する状況認識部と、認識された状況をキーにして対応したストレス状況に関する情報を検索する情報検索部と、検索した広告情報などをユーザに提示する情報提示部とを備える。
【特許文献１】特開２００３−３８４６３号公報
【特許文献２】特開２００１−３４４３５２号公報
【発明の開示】
【発明が解決しようとする課題】
【０００４】
しかしながら、従来の技術では、以下に述べる問題がある。
血糖値に問題がある人々にとって、血糖値測定は毎日の定時間に規則正しく行う必要があり、測定時刻に外出先で測定しなければならない場合も多く、そのため血糖値測定装置は小型で運搬性がよいことが求められる。しかし、従来の赤外線型の血糖値測定装置は、光学部品が集められて作製されているため大型になり、運搬性が良好ではない。また、運搬していても、データ解析を行うために携帯電話機等の外部機器に接続しなければならなかったりする煩わしさがある。また、外出先で測定中に人目を気にする場合があり、心理的な抵抗も大きい。さらに、正しく測定できているのか不安になる。このため、定時的な血糖値測定などが行われにくく、医療上問題がある。
【０００５】
そこで、本発明は、このような問題点を解決するためになされたものであり、血糖値を測定することのできる、運搬性がよくて、測定時に心理的負担が少なく、測定動作が容易な小型の生体センサ内蔵携帯電話機等を提供することを目的とする。
【課題を解決するための手段】
【０００６】
上記目的を達成するために、本発明に係る生体センサ内蔵携帯電話機は、接触されたユーザの唇に中赤外光をあてて受光した光量により前記唇中の血糖値を測定する血糖値測定手段と、前記血糖値測定手段が測定した測定結果前記ユーザに通知する測定結果通知手段と、前記血糖値測定手段の近傍に配置され、前記ユーザの声を電気信号に変換するマイクとを備えることを特徴とする。これにより、小型化が実現されるので、運搬性が極めて良好になる。また、携帯電話機と生体センサとを別々に持ち歩いたりする必要がなくなる。また、あたかも携帯電話機で通話を行っているが如く、ユーザが唇を前記血糖値測定手段に接触させて使用できるため、他人の目を気にすることもなくなり、どこでも心理的な負担がなく測定できる。
【０００７】
さらに、折りたたむ構造を有し、紫外発光ダイオードを発光させることにより前記血糖値測定手段を殺菌する殺菌手段を備えることを特徴とする。これにより、雑菌が付きやすい前記血糖値測定手段を衛生的に保つことができる。さらに、前記殺菌手段の発する光を散乱させる散乱手段を備えることを特徴とする。これにより、散乱光が操作面にも照射されるので、ユーザが操作を行って汚れた操作面をも清潔に保つことができる。また、操作面が酸化チタンでコーティングされていることを特徴とする。これにより、さらに操作面の清潔さを保つことができる。また、折りたたんだ際に、前記血糖値測定手段と前記殺菌手段が対面の位置にくるよう配置されていることを特徴とする。これにより、殺菌機能が有効に働く。
【０００８】
前記殺菌手段は、折りたたんでいないときは動作しないことを特徴とする。これにより、装置を使用中にユーザの目に紫外線が誤って入らないようにできる。また、前記殺菌手段は、折りたたんでから一定時間が経過した後は動作しないことを特徴とする。これにより、充電池の浪費を防ぐことができる。
【０００９】
また、あらかじめ設定された測定時刻がきた時に、音、音声、および振動の少なくともいずれか一つによりユーザに知らせる測定時刻通知手段を備えることを特徴とする。これにより、携帯電話機は日常生活のほとんどの場面でユーザが携帯しているため、ユーザは測定時刻になったことを確実に知ることができ、血糖値という医療上必要なデータを的確な時刻に測定することができ、従来のような測定し忘れが激減することが期待できる。
【００１０】
さらに、前記血糖値測定手段が測定した前記測定結果に基づいて、音声ガイドメッセージ信号を合成する音声合成手段と、前記音声合成手段で合成された前記音声ガイドメッセージ信号を音に変換してユーザに伝える変換手段とを備えることを特徴とする。前記音声ガイドメッセージ信号は、測定時刻、測定手順、測定状況、および測定残り時間を示す情報を含むことを特徴とする。これにより、測定動作に不慣れなユーザ一人であっても正しい測定が容易に実行可能になる。また、ユーザは測定中の待ち時間を有効に使用することができる。
さらに、折りたたむ構造を有し、通話時と測定時における開き角度を別々に固定する開き角度固定手段を備えることを特徴とする。これにより、測定動作が極めて容易になる。
【発明の効果】
【００１１】
本発明によれば、血糖値を測定することのできる、運搬性がよくて、衛生的で、測定時に心理的負担が少なく、測定動作が容易な小型の生体センサ内蔵携帯電話機等を実現することができるので、その実用的価値は極めて高い。
【発明を実施するための最良の形態】
【００１２】
以下、本発明の実施の形態を、図面を参照しながら説明する。
（実施の形態１）
図１は、本発明の実施の形態１に係る生体センサ内蔵携帯電話機の外観図である。生体センサ内蔵携帯電話機５０は、スピーカ２２、マイク２３、操作部２５、表示部２６、および触唇型中赤外センサモジュール３０を備えている。
【００１３】
図２は、本発明の実施の形態１に係る生体センサ内蔵携帯電話機における、非侵襲型センサである触唇型中赤外センサモジュール３０の断面図である。触唇型中赤外センサモジュール３０において、量子カスケードレーザ１の発した波長９．６μｍの中赤外光は、反射面７で反射し、ＺｎＳｅ光学素子２１に入る。この中赤外光はＺｎＳｅ光学素子２１の内部を全反射を繰り返しながら進行する。また、ＺｎＳｅ光学素子２１には、ユーザの唇３９が接触している。中赤外レーザ光３１がＺｎＳｅ光学素子２１で全反射する際、ＺｎＳｅ光学素子２１と唇３９の界面の近傍にエバネッセント波３２としてしみ出す。
【００１４】
エバネッセント波とは、屈折率の異なる界面で光が全反射する際に、界面からしみ出す光である。エバネッセント波の強度は、界面からの距離に依存しており、指数関数的に減衰する。エバネッセント波は、界面近傍のみに存在する特殊な光であり、この光を利用することで、物質の表面・界面における構造や反応等の様々な現象に関して、他の方法では得られない、あるいは得ることが困難な情報を得ることができる。ここでは、唇３９中のグルコース値を測定するのに利用している。エバネッセント波３２が、唇３９中のグルコースと共鳴するため、そのエネルギ（光量）の変化を測定することでグルコースの濃度を検出することができる。
【００１５】
唇３９中のグルコースと共鳴した中赤外レーザ光３１は、最終的に受光素子２に入射する。入射光は、Ｓｉ基板４上の信号処理集積回路３にて信号処理される。なお、Ｓｉ基板４は、銅ヒートシンク１８上の銀ペースト６上に配置されており、また、電極８、金ワイヤー９を介してリード電極１０に接続されている。また、触唇型中赤外センサモジュール３０は、ＺｎＳｅ光学素子２１以外は樹脂パッケージ５で覆われている。
【００１６】
図３は、本発明の実施の形態１に係る生体センサ内蔵携帯電話機における音声ガイド機能を説明するためのブロック図である。触唇型中赤外センサモジュール３０は、ＣＰＵ２８からの指令を入力してグルコース値を測定し、測定データを信号処理ＩＣ２９に出力する。信号処理ＩＣ２９は、触唇型中赤外センサモジュール３０からの測定データを処理して、測定データに応じた制御データを音声合成ＩＣ２７に出力する。音声合成ＩＣ２７は、信号処理ＩＣ２９から入力した制御データを入力して、制御データに応じた音声データを生成し、スピーカ２２に出力して音声としてユーザに伝える。
【００１７】
図４は、本発明の実施の形態１に係る生体センサ内蔵携帯電話機の動作手順を示すフローチャートである。生体センサ内蔵携帯電話機は、内蔵タイマおよびあらかじめ設定された測定時刻をもとに、現在が測定時刻であるかどうかを判断し（Ｓ１）、測定時刻でなければ（Ｓ１でＮＯ）、その状態を継続したままであるが、測定時刻であれば（Ｓ１でＹＥＳ）、測定時刻がきたことを音声（例えば、「血糖値の測定時間が来ました」）や表示や振動等でユーザに伝える（Ｓ２）。これにより、測定のし忘れがなくなる。次に、ユーザが測定開始の入力をしたかどうかを判断する（Ｓ３）。入力の形態は、音声（例えば、「測定します」）であっても操作ボタンであってもよい。入力がなければ（Ｓ３でＮＯ）、その状態を継続するが、入力があれば（Ｓ３でＹＥＳ）、測定を開始する旨を音声（例えば、「これから測定を始めますので唇をセンサにあててください」）や表示でユーザに伝える（Ｓ４）。続いて、測定動作を行い（Ｓ５）、測定状況（例えば、「正しく測定中です」）、アドバイス（例えば、「もう少しセンサに唇を強くあててください」）、測定残り時間（例えば、「あと１分で測定完了です」）等を音声や表示でユーザに伝える（Ｓ６）。これにより、ユーザは１人でも正しく測定動作が行え、さらに、待ち時間を有効に使用することができる。測定が完了していなければ（Ｓ７でＮＯ）、測定動作を継続するが（Ｓ５）、完了すれば（Ｓ７でＹＥＳ）、測定が完了した旨を音声（例えば、「測定が完了しました」）や表示でユーザに伝える（Ｓ８）。続いて、測定結果の計算や解析動作に入り（Ｓ９）、計算結果やアドバイス等を音声（例えば、「血糖値は正常です。この調子を続けましょう」）や表示でユーザに伝える（Ｓ１０）。これにより、ユーザは自己の現在の健康状態が即座に把握することができ、さらに今後の生活態度の指針をもつことができる。
【００１８】
なお、計測結果を長期的に記憶したり、詳しく解析したりするために、自動的に無線で例えばパソコンに送信するように設定してもよい。また、測定手順を測定開始の際にユーザに音や表示で伝えたり、また、測定中にセンサの異常が発生したときに対応方法等を伝えたりしてももちろんよい。
【００１９】
以上のように、本発明の実施の形態における生体センサ内蔵携帯電話機によれば、血糖値を測定することのできる、運搬性がよくて、測定時に心理的負担が少なく、測定動作が容易な小型の生体センサ内蔵携帯電話機を実現することができる。
【００２０】
（実施の形態２）
本発明の実施の形態２では、殺菌作用のある紫外ＬＥＤ照射部を備えるところが異なる。触唇型中赤外センサモジュール３０は、ユーザが直接唇を当てるので、表面に雑菌がつきやすいため、紫外線等により殺菌するのが望ましい。
【００２１】
図５は、本発明の実施の形態２に係る生体センサ内蔵携帯電話機５１の外観図である。生体センサ内蔵携帯電話機５１は、スピーカ２２、マイク２３、操作部２５、触唇型中赤外センサモジュール３０、およびＡｌＧａＮ系半導体を使用した紫外ＬＥＤ照射部４０を備えている。
【００２２】
図６は、本発明の実施の形態２に係る生体センサ内蔵携帯電話機を閉じた状態の外観図である。閉じた状態では、紫外ＬＥＤ照射部４０は触唇型中赤外センサモジュール３０に対向する位置に設置されている。
【００２３】
図７（ａ）は、本発明の実施の形態２に係る生体センサ内蔵携帯電話機における紫外ＬＥＤ照射部の外観図であり、図７（ｂ）はその断面図である。紫外ＬＥＤ照射部４０は、中心に位置する紫外ＬＥＤ４２、および、三角型の突起が何重にも紫外ＬＥＤ４２を取り囲むように配置された散乱用樹脂４１から構成されている。
【００２４】
この構成により、紫外ＬＥＤ４２から発した紫外光は、装置を閉じた状態で対向する触唇型中赤外センサモジュール３０を照射して殺菌するとともに、対向部からの反射光を散乱用樹脂４１で散乱させて、操作部２５、表示部２６、スピーカ２２、およびマイク２３をも殺菌する。なお、紫外光の照射時間は充電池の過度な消費を考慮して、例えば１分で終了するようにソフトウェアを構成する。また、装置を閉じていない状態では非通電となるスイッチ（図示せず）を利用することにより、紫外ＬＥＤ４２が発光しないようにインターロックをかけ、ユーザの目に紫外光が入らないように安全対策を行う。
以上のように、本発明の実施の形態における生体センサ内蔵携帯電話機によれば、衛生的な生体センサ内蔵携帯電話機を実現することができる。
【００２５】
なお、殺菌にはここで説明を行った紫外ＬＥＤ以外を用いてももちろんよい。また、装置の操作部等に酸化チタンを形成して、殺菌効果をさらに向上してもよい。二酸化チタンに太陽光線や蛍光灯の紫外線が当たると、酸化・還元反応により水酸化イオンを酸化し、過酸化水素（オキシフル）塩素やオゾンよりも強力な酸化力を持つＯＨラジカルなどの活性酸素を発生する。この活性酸素が、有害物質である排気ガスＮＯ・ＳＯを始めシックハウス症候群の要因となるホルムアルデヒドやたばこのニオイの成分であるアセトアルデヒド・アンモニア等の有機物の分子結合を分解除去するからである。
【００２６】
（実施の形態３）
本発明の実施の形態３では、生体センサ内蔵携帯電話機の血糖値測定時の開き角度の固定位置を、通話時とは別に設定したところが、実施の形態２と異なる。
【００２７】
図８は、本発明の実施の形態３に係る生体センサ内蔵携帯電話機のための開き角度の固定位置を説明するための図である。図８（ａ）は、生体センサ内蔵携帯電話機５１を通話に使用しているときの様子を表す図である。通話時は、触唇型中赤外センサモジュール３０を唇に当てる必要はないため、生体センサ内蔵携帯電話機５１における開き角度固定部４３は、角度が大きい状態で固定される。一方、図８（ｂ）は、生体センサ内蔵携帯電話機５１を血糖値測定に使用しているときの様子を表す図である。血糖値測定時には、触唇型中赤外センサモジュール３０を唇に当てる必要があるため、生体センサ内蔵携帯電話機５１における開き角度固定部４３は、図８（ａ）の開き角度より小さい角度で固定される。これにより、測定中にもスピーカからの音声をはっきり聞き取ることができるので、ユーザの血糖値測定動作が正しく実現される。
【００２８】
以上のように、本発明の実施の形態１〜３における生体センサ内蔵携帯電話機によれば、血糖値を測定することのできる、運搬性がよくて、衛生的で、測定時に心理的負担が少なく、測定動作が容易な小型の生体センサ内蔵携帯電話機を実現することができる。
【００２９】
なお、血糖値測定のためのセンサは、本発明の実施の形態で説明を行った触唇型中赤外センサでなくても、他の方式を用いたセンサであってももちろんよい。また、携帯電話機でなくても、通話機能や音声入力機能を持つＰＤＡ(Personal Digital Assistant)であってももちろんよい。
【産業上の利用可能性】
【００３０】
本発明に係る生体センサ内蔵携帯電話機は、血糖値を測定することのできる、運搬性がよくて、衛生的で、測定時に心理的負担が少なく、測定動作が容易で、小型であるという効果を有し、生体センサ内蔵携帯電話機や生体センサ内蔵ＰＤＡ等として有用である。
【図面の簡単な説明】
【００３１】
【図１】本発明の実施の形態１に係る生体センサ内蔵携帯電話機の外観図である。
【図２】本発明の実施の形態１に係る生体センサ内蔵携帯電話機における触唇型中赤外センサモジュールの断面図である。
【図３】本発明の実施の形態１に係る生体センサ内蔵携帯電話機における音声ガイド機能を説明するためのブロック図である。
【図４】本発明の実施の形態１に係る生体センサ内蔵携帯電話機の動作手順を示すフローチャートである。
【図５】本発明の実施の形態２に係る生体センサ内蔵携帯電話機の外観図である。
【図６】本発明の実施の形態２に係る生体センサ内蔵携帯電話機を閉じた状態の外観図である。
【図７】本発明の実施の形態２に係る生体センサ内蔵携帯電話機における紫外ＬＥＤ照射部の外観図および断面図である。
【図８】本発明の実施の形態３に係る生体センサ内蔵携帯電話機のための開き角度の固定位置を説明するための図である。
【図９】従来技術に係る生体測定装置の基本構造を示す図である。
【符号の説明】
【００３２】
１    量子カスケードレーザ
２    受光素子
３    信号処理集積回路
４    Ｓｉ基板
５    樹脂パッケージ
６    銀ペースト
７    反射面
８    電極
９    金ワイヤー
１０    リード電極
１８    銅ヒートシンク
２１    ＺｎＳｅ光学素子
２２    スピーカ
２３    マイク
２５    操作部
２６    表示部
２７    音声合成ＩＣ
２８    ＣＰＵ
２９    信号処理ＩＣ
３０    触唇型中赤外センサモジュール
３１    中赤外レーザ光
３２    エバネッセント波
３９    唇
４０    紫外ＬＥＤ照射部
４１    散乱用樹脂
４２    紫外ＬＥＤ
４３    開き角度固定部
５０、５１    生体センサ内蔵携帯電話機
１２０    検出器
１２１    指挿入部
１２２    電源スイッチ
１２３    電池
１２４    光源
１２５    干渉フィルタ
１２６    照射部
１２７    吸収強度検出器
１２８    電子回路
１２９    記憶部
１３０    外部機器
【図１】
2005073763.tif 000003
【図２】
2005073763.tif 000004
【図３】
2005073763.tif 000005
【図４】
2005073763.tif 000006
【図５】
2005073763.tif 000007
【図６】
2005073763.tif 000008
【図７】
2005073763.tif 000009
【図８】
2005073763.tif 000010
【図９】
2005073763.tif 000011